(57)【要約】【課題】遊技球を研磨によりクリーニングするクリーニングローラの交換が容易で、交換費用を抑制することが可能なクリーニングユニット及び遊技機を提供する。【解決手段】遊技機に収容可能なクリーニングユニット３であって、移送される遊技球に外周部にて当接し、軸を中心に回転することで遊技球をクリーニングするクリーニングローラ３２の回転軸を、回転可能に保持する保持機構３２４、３２５を備える。保持機構３２４、３２５は、クリーニングローラ３２に対して付勢部材３２５ｂにて軸方向に付勢することにより、クリーニングローラ３２を着脱可能に保持する。【選択図】図１２
2017023169.tif 000002
【特許請求の範囲】
【請求項１】
遊技機に収容可能で、遊技機にて使用される遊技球をクリーニングするクリーニングユニットであって、
遊技球を移送する移送体と、
前記移送体により移送される遊技球に外周部にて当接し、軸を中心に回転することで遊技球をクリーニングするクリーニングローラと、
前記クリーニングローラを回転可能に保持する保持機構と
を備え、
前記保持機構は、前記クリーニングローラを着脱可能に保持する
ことを特徴とするクリーニングユニット。
【請求項２】
請求項１に記載のクリーニングユニットであって、
前記保持機構は、
前記クリーニングローラに対し、軸方向に付勢する付勢部材を備え、
前記付勢部材の付勢により前記クリーニングローラを保持する
ことを特徴とするクリーニングユニット。
【請求項３】
請求項１又は請求項２に記載のクリーニングユニットであって、
前記保持機構は、
前記クリーニングローラに係合する係合部を備え、
前記係合部が係合することにより前記クリーニングローラを保持する
ことを特徴とするクリーニングユニット。
【請求項４】
請求項１乃至請求項３のいずれか１項に記載のクリーニングユニットであって、
前記クリーニングローラは、
円筒状又は円柱状をなし、前記保持機構により保持されるローラ本体と、
前記ローラ本体の外周部に巻装された巻装体と
を備えることを特徴とするクリーニングユニット。
【請求項５】
請求項１乃至請求項４のいずれか１項に記載のクリーニングユニットと、
前記クリーニングユニットを収容する収容部と、
前記クリーニングユニットにてクリーニングされた遊技球を発射する発射部と、
前記発射部にて発射された遊技球を回収する回収部と
を備え、
前記回収部により回収された遊技球は、前記クリーニングユニットへ供給される
ことを特徴とする遊技機。
【発明の詳細な説明】
【技術分野】
【０００１】
本発明は、遊技機にて使用される遊技球をクリーニングするクリーニングユニット、及びそのようなクリーニングユニットを備えた遊技機に関する。
【背景技術】
【０００２】
遊技機にて使用される遊技球をクリーニング（研磨）する様々なクリーニング装置が実用化されている。また、遊技機内部に循環経路を形成して、遊技球を遊技機内部に封入し、封入した遊技球を遊技機の遊技領域に繰り返し発射することで遊技を行うようにした封入式遊技機が提案されている。
【０００３】
特許文献１には、封入式遊技機の内部における球循環経路の一部に配置され、循環する遊技球を研磨する球研磨装置が開示されている。特許文献１に開示された球研磨装置は、螺旋体が回転することにより遊技球を搬送すると共に、搬送されている遊技球に研磨布が接触することにより遊技球を研磨し、汚れを除去している。
【０００４】
研磨布により遊技球を研磨した場合、遊技球の汚れが研磨布に付着し、堆積するため、研磨布における遊技球の接触面が適宜新しい面となるように変更する必要が生じる。特許文献１では、研磨布を複数の送りローラ間に架け渡し、送りローラを回転させる研磨布送り機構を設け、研磨布送り機構の送りローラが回転することにより、遊技球の接触面を変更することにより、この問題に対応している。
【先行技術文献】
【特許文献】
【０００５】
【特許文献１】特開２０１２−１０５７９８号公報
【発明の概要】
【発明が解決しようとする課題】
【０００６】
しかしながら、特許文献１に提案されている球研磨装置では、研磨布送り機構が大きい、機構が複雑である等の問題が有り、これらの問題は消耗品である研磨布の交換費用の増大に繋がるという問題がある。
【０００７】
本発明は斯かる事情に鑑みてなされたものであり、遊技球を移送する移送ローラにより移送される遊技球に外周部にて当接し、軸を中心に回転することで遊技球をクリーニングするクリーニングローラを設け、クリーニングローラを着脱可能とする。これにより、クリーニングローラに関する交換が容易になるので、消耗品の交換費用が増大することを抑制することが可能なクリーニングユニットの提供を主たる目的とする。
【０００８】
また、本発明は、本発明に係るクリーニングユニットを備えた遊技機の提供を他の目的とする。
【課題を解決するための手段】
【０００９】
上記課題を解決するために、本発明に係るクリーニングユニットは、遊技機に収容可能で、遊技機にて使用される遊技球をクリーニングするクリーニングユニットであって、遊技球を移送する移送体と、前記移送体により移送される遊技球に外周部にて当接し、軸を中心に回転することで遊技球をクリーニングするクリーニングローラと、前記クリーニングローラを回転可能に保持する保持機構とを備え、前記保持機構は、前記クリーニングローラを着脱可能に保持することを特徴とする。
【００１０】
また、クリーニングユニットは、前記保持機構は、前記クリーニングローラに対し、軸方向に付勢する付勢部材を備え、前記付勢部材の付勢により前記クリーニングローラを保持することを特徴とする。
【００１１】
また、クリーニングユニットは、前記保持機構は、前記クリーニングローラに係合する係合部を備え、前記係合部が係合することにより前記クリーニングローラを保持することを特徴とする。
【００１２】
また、クリーニングユニットは、前記クリーニングローラは、円筒状又は円柱状をなし、前記保持機構により保持されるローラ本体と、前記ローラ本体の外周部に巻装された巻装体とを備えることを特徴とする。
【００１３】
更に、本発明に係る遊技機は、前記クリーニングユニットと、前記クリーニングユニットを収容する収容部と、前記クリーニングユニットにてクリーニングされた遊技球を発射する発射部と、前記発射部にて発射された遊技球を回収する回収部とを備え、前記回収部により回収された遊技球は、前記クリーニングユニットへ供給されることを特徴とする。
【００１４】
本発明では、クリーニングローラに関する交換が容易となる。
【発明の効果】
【００１５】
本発明は、移送体と、移送体により移送される遊技球に外周部にて当接し、軸を中心に回転することで遊技球をクリーニングするクリーニングローラと、クリーニングローラの回転軸を回転可能に保持する保持機構とを備え、保持機構は、クリーニングローラを着脱可能に保持する。これにより、クリーニングローラに関する消耗品の交換が容易になる等、優れた効果を奏する。
【図面の簡単な説明】
【００１６】
【図１Ａ】本発明のクリーニングユニットを収容した遊技機の内部構造の一例を示す概略図である。
【図１Ｂ】本発明のクリーニングユニットを収容した遊技機の内部構造の一例を示す概略図である。
【図２】本発明のクリーニングユニットを収容した遊技機の内部構造の一例を示す概略図である。
【図３Ａ】本発明に係るクリーニングユニットの外観を概略的に示す概略外観図である。
【図３Ｂ】本発明に係るクリーニングユニットの外観を概略的に示す概略外観図である。
【図３Ｃ】本発明に係るクリーニングユニットの外観を概略的に示す概略外観図である。
【図４Ａ】本発明に係るクリーニングユニットの外観を概略的に示す概略外観図である。
【図４Ｂ】本発明に係るクリーニングユニットの外観を概略的に示す概略外観図である。
【図５Ａ】本発明に係るクリーニングユニットの外観を概略的に示す概略外観図である。
【図５Ｂ】本発明に係るクリーニングユニットの外観を概略的に示す概略外観図である。
【図６】本発明に係るクリーニングユニットの外観を概略的に示す概略外観図である。
【図７】本発明に係るクリーニングユニットの内部構造を概略的に示す概略構造図である。
【図８Ａ】本発明に係るクリーニングユニットの内部構造を概略的に示す概略構造図である。
【図８Ｂ】本発明に係るクリーニングユニットの内部構造を概略的に示す概略構造図である。
【図９】本発明に係るクリーニングユニットの内部構造を概略的に示す概略構造図である。
【図１０Ａ】本発明に係るクリーニングユニットの内部構造を概略的に示す概略構造図である。
【図１０Ｂ】本発明に係るクリーニングユニットの内部構造を概略的に示す概略構造図である。
【図１１Ａ】本発明に係るクリーニングユニットが備えるクリーニングローラの外観を示す斜視図である。
【図１１Ｂ】本発明に係るクリーニングユニットが備えるクリーニングローラの外観を示す斜視図である。
【図１２】本発明に係るクリーニングユニットの側断面を概略的に示す概略側断面図である。［（ａ）は概略側断面図であり、（ｂ）は概略外観図である］
【図１３】本発明に係るクリーニングユニットの側断面を概略的に示す概略側断面図である。［（ａ）は概略側断面図であり、（ｂ）は概略外観図である］
【発明を実施するための形態】
【００１７】
以下、本発明の実施形態について図面を参照しながら説明する。なお、以下の実施形態は、本発明を具現化した一例であって、本発明の技術的範囲を限定する性格のものではない。
【００１８】
＜遊技機全体＞
図１Ａ及び図１Ｂ、並びに図２は、本発明のクリーニングユニットを収容した遊技機の内部構造の一例を示す概略図である。図１Ａ及び図１Ｂ、並びに図２は、パチンコ台として用いられる封入式遊技機に適用した遊技機１を示している。図１Ａは遊技領域１１を有する前方から視た正面図であり、図１Ｂは、後方から視た背面図である。そして、図２は、遊技面側を斜め上方から視た斜視図である。図１Ａ及び図１Ｂ、並びに図２は、遊技機１の外側の筐体３０を外し、内部の構成の概略が視認できるように示している。また、図２は、遊技機１の内部の前面下部に設けられた前扉１０を開いた状態で示している。
【００１９】
遊技機１の前面は上部２／３程度が遊技領域１１となっており、パチンコ玉等の遊技球を遊技領域１１へ発射することにより遊技が行われる。遊技領域１１には、遊技球の進路を変更させる多数の釘が打設されており、更に、画像の表示、羽根部材の動作等の演出を行う演出部１２が配設されている。また、遊技領域１１には、「セーフ球」として遊技球を回収する入賞口１３及び「アウト球」として遊技球を回収するアウト口１４が開設されている。
【００２０】
入賞口１３及びアウト口１４から回収された遊技球は、回収部２にて回収され、回収部２に回収された遊技球は、遊技球を研磨によりクリーニングするクリーニングユニット３へ供給される。クリーニングユニット３は、遊技球をクリーニングし、クリーニングした遊技球を発射部４へ供給する。
【００２１】
回収部２は、裏面に配設されており、セーフ球返却通路２０、アウト球返却通路２１、球循環通路２２等の遊技球の通路となる構成を備えている。そして、入賞口１３から回収された遊技球は、セーフ球返却通路２０から球循環通路２２を通ってクリーニングユニット３へ送られる。また、アウト口１４から回収された遊技球は、アウト球返却通路２１から球循環通路２２でセーフ球と合流し、クリーニングユニット３へ送られる。
【００２２】
クリーニングユニット３は、遊技機１内において、遊技領域１１の下方に設けられた収容部１５に、着脱可能に収容されている。クリーニングユニット３は、回収部２から供給される遊技球を下部から取り込み、取り込んだ遊技球をクリーニングしながら上方へ移送し、上部から遊技球を排出する。クリーニングユニット３から排出された遊技球は、前扉１０の前面に設けられた発射球供給通路１６を通って発射部４へ送られる。
【００２３】
発射部４は、遊技機１の前面に配設されており、遊技者の操作をハンドルにて受け付け、受け付けた操作に基づいて、遊技球を遊技領域１１へ発射する。
【００２４】
このように、封入式遊技機である遊技機１では、機内で遊技球が循環するため、遊技中に遊技球が外部へ排出されることがない。このため、例えば、数十発等の少量の遊技球で遊技をすることができるので経済的であり、また、不正な遊技を抑制することができる等の効果が期待される。
【００２５】
＜クリーニングユニット＞
図３Ａ、図３Ｂ及び図３Ｃ、並びに図４Ａ及び図４Ｂは、本発明に係るクリーニングユニット３の外観を概略的に示す概略外観図である。図３Ａは正面図、図３Ｂは背面図、図３Ｃは平面図、図４Ａは前方右上側からの視点で示した概略斜視図、そして図４Ｂは後方右上側からの視点で示した概略斜視図である。また、図５Ａ及び図５Ｂ、並びに図６は、本発明に係るクリーニングユニット３の外観を概略的に示す概略外観図である。図５Ａは正面図、図５Ｂは平面図、そして図６は前方右上からの視点で示した概略斜視図である。図５Ａ及び図５Ｂ並びに図６は、クリーニングユニット３が備える筐体３０に設けられた蓋部３００を開けた状態を示している。図７、並びに図８Ａ及び図８Ｂは、本発明に係るクリーニングユニット３の内部構造を概略的に示す概略構造図である。図７は正面図、図８Ａは前方右下側からの視点で示した概略斜視図、そして図８Ｂは前方右上側からの視点で示した概略斜視図である。図７並びに図８Ａ及び図８Ｂは、筐体３０の一部を構成する前方の部材を外し、内部構造が視認できるようにした図である。これらの図を参照し、遊技機１に収容されたクリーニングユニット３について更に詳述する。
【００２６】
クリーニングユニット３は、遊技球を移送する移送ローラ３１と、移送ローラ３１により移送される遊技球を研磨によりクリーニングするクリーニングローラ３２と、移送ローラ３１及びクリーニングローラ３２をギア駆動する駆動部３３とを備えている。移送ローラ３１、クリーニングローラ３２及び駆動部３３は、筐体３０内に収容されており、筐体３０ごとクリーニングユニット３として収容部１５に収容される。収容部１５に収容されたクリーニングユニット３は、収容部１５に対して着脱可能であり、作業者は、必要に応じて収容部１５からクリーニングユニット３を取り出し、クリーニングユニット３自体、又はクリーニングユニット３が備える各種部材の修理、交換等の補修作業を行うことができる。特に、クリーニングローラ３２は消耗品であるため、筐体３０にはクリーニングローラ３２を交換するために開閉可能な蓋部３００が設けられている。
【００２７】
移送ローラ３１は、長手方向が８０ｍｍ程度の棒状をなし、中心軸が回転軸となる軸体３１０と、軸体３１０の外周部に螺旋状に形成された螺旋体３１１とを備えている。螺旋体３１１は、外周側を薄く回転軸側を厚く形成した平板状の羽が所定のピッチで螺旋を描くように形成されており、螺旋に係るピッチは、遊技球の直径より若干大きく一つの遊技球が抵抗なく通れる程度の間隔となっている。また、筐体３０において、移送ローラ３１とクリーニングローラ３２との間には、螺旋体３１１の回転により移送される遊技球の移送路として、軸方向が移送ローラ３１と平行で一部が破断した筒状をなす球通路３０３が形成されている。球通路３０３の内径は、遊技球の直径より若干大きく一つの遊技球が抵抗なく通れる程度の大きさとなっている。このため、遊技球は、球通路３０３を通って、クリーニングローラ３２の外周部に当接した状態を維持しながら移送される。そして、移送ローラ３１は、回転軸となる軸体３１０を中心に回転することで、遊技球を軸方向へ移送するスクリューコンベアとして機能する。
【００２８】
クリーニングローラ３２は、中空の円筒状をなし、中心軸が回転軸となるローラ本体３２０と、ローラ本体３２０の外周部に巻装された巻装体３２１とを備えている。クリーニングローラ３２の長手方向及び周方向の外形は移送ローラ３１と同程度の長さとなるように形成されている。巻装体３２１は、遊技球を研磨によりクリーニングするための不織布、樹脂シート、シリコンゴム等の弾性を有する布状体にて形成されており、ローラ本体３２０から取り外し、交換することが可能である。また、クリーニングローラ３２自体もクリーニングユニット３から取り外し、交換することが可能である。クリーニングローラ３２は、移送ローラ３１により移送される遊技球に外周部となる巻装体３２１にて当接し、回転軸となるローラ本体３２０を中心に回転することで遊技球をクリーニングする。なお、クリーニングローラ３２は、分離可能なローラ本体３２０及び巻装体３２１にて形成するのではなく、一体型として形成することも可能であり、その場合、例えば、シリコンゴム製のローラとして形成するようにしても良く、更には金属、樹脂等の材質の起毛を有する回転ブラシとして形成する等、様々な形態に形成することが可能である。また、ローラ本体３２０を中空では無く、円柱状をなすように形成することも可能である。
【００２９】
移送ローラ３１及びクリーニングローラ３２は、軸方向が平行となるように配設されており、それぞれ反対方向へ回転するように、駆動モータ３３０を用いた駆動部３３にて駆動される。ここでは移送ローラ３１及びクリーニングローラ３２の軸方向が鉛直方向となるように配設された形態を示しているが、軸方向が水平方向であっても、水平に対して斜め方向であっても良い。
【００３０】
筐体３０の下部後面には、回収部２から供給される遊技球を取り込む球取込口３０１が開設されており、上面には遊技球を排出する球排出口３０２が開設されている。球取込口３０１から筐体３０内に取り込まれた遊技球は、それぞれ反対方向に回転する移送ローラ３１及びクリーニングローラ３２の狭間へ、移送ローラ３１及びクリーニングローラ３２の回転により挟み込まれるようにして取り込まれる。移送ローラ３１及びクリーニングローラ３２に取り込まれた遊技球は、クリーニングローラ３２によりクリーニングされながら、移送ローラ３１により上方へ移送される。そして、遊技球は、移送ローラ３１の上端に近接する球排出口３０２から筐体３０外へ排出され、発射部４へ供給される。移送ローラ３１及びクリーニングローラ３２は、球取込口３０１から筐体３０内に取り込む遊技球を挟み込むように回転しているため、遊技球を効率的に取り込むことができる。
【００３１】
駆動部３３は、図示しない電源から受電して回転動作する駆動モータ３３０と、駆動モータ３３０の軸芯に軸支され、駆動モータ３３０の回転動作に伴い回転する平歯車を用いたモータギア３３１とを備えている。モータギア３３１は、移送ローラ３１の軸体３１０と回転軸を一にする平歯車を用いた第１移送ギア３１２と歯合しており、モータギア３３１の回転に伴い第１移送ギア３１２が回転し、第１移送ギア３１２と共に移送ローラ３１が回転する。また、移送ローラ３１の軸体３１０の回転軸には、第１移送ギア３１２とは別に、平歯車を用いた第２移送ギア３１３が軸支されており、移送ローラ３１の回転に伴い第２移送ギア３１３が回転する。更に、第２移送ギア３１３は、クリーニングローラ３２のローラ本体３２０と回転軸を一にする平歯車を用いたクリーニングギア３２２と歯合しており、第２移送ギア３１３の回転に伴いクリーニングギア３２２が回転し、クリーニングギア３２２と共にクリーニングローラ３２が回転する。即ち、駆動モータ３３０が回転することにより、４枚のギアにて連動する移送ローラ３１及びクリーニングローラ３２が回転する。移送ローラ３１及びクリーニングローラ３２を一の駆動モータ３３０にて回転駆動することにより、例えば、複数のモータを必要とする特許文献１に開示された球研磨装置と比べて、大型化、複雑化、コストアップ等の問題点の発生を抑制することが可能となる。
【００３２】
更に、クリーニングローラ３２の回転軸には、円板状をなす操作部３２３が軸支されており、操作者は操作部３２３を回転操作することにより、手動にてクリーニングローラ３２を回転させることが可能である。なお、必要に応じて移送ローラ３１を回転操作する操作部を設けるようにしても良い。
【００３３】
図９、並びに図１０Ａ及び図１０Ｂは、本発明に係るクリーニングユニット３の内部構造を概略的に示す概略構造図である。図９は正面図、図１０Ａは前方左下側からの視点で示した概略斜視図、そして図１０Ｂは前方左上側からの視点で示した概略斜視図である。図９並びに図１０Ａ及び図１０Ｂは、筐体３０の一部を構成する前方の部材を外し、内部構造が視認できるようにした図であり、クリーニングローラ３２を取り外した状態を示している。クリーニングローラ３２は、クリーニングユニット３に対して着脱可能に構成されており、蓋部３００を開くことにより、容易に取り外すことができる。
【００３４】
クリーニングユニット３は、クリーニングローラ３２を回転自在に軸支し、かつ着脱可能に保持する保持機構として嵌合支持部材３２４及び付勢支持部材３２５を備えている。嵌合支持部材３２４は、クリーニングローラ３２を上側から軸支する保持機構であり、円筒状をなすクリーニングローラ３２のローラ本体３２０の内径と略同一の外径を有する円板状の部位が、ローラ本体３２０の軸端から内側へ嵌まり込むことにより、クリーニングローラ３２を保持する。付勢支持部材３２５は、クリーニングローラ３２を下側から軸支する保持機構であり、ローラ本体３２０の内径と略同一の外径を有する円板状の部位が、ローラ本体３２０の軸端から内側へ嵌まり込み、更に軸方向へローラ本体３２０を付勢することにより、クリーニングローラ３２を保持する。また、付勢支持部材３２５は、嵌合する円板状の部位から、外周方向へ向かって等間隔四方向へ放射状に延びる直方体状の係合凸部３２５ａが設けられている。
【００３５】
図１１Ａ及び図１１Ｂは、本発明に係るクリーニングユニット３が備えるクリーニングローラ３２の外観を示す斜視図である。図１１Ａ及び図１１Ｂは、クリーニングユニット３から取り外した状態のクリーニングローラ３２を、それぞれ異なる側の軸端が視認できるように示している。前述の様にクリーニングローラ３２は、円筒状をなすローラ本体３２０と、ローラ本体３２０の外周部を巻装する巻装体３２１とを備えている。巻装体３２１は、例えば、広げた状態で長方形状をなす不織布等の研磨布にて形成されており、長方形状の長辺方向を軸方向に合わせ、短辺方向へローラ本体３２０の外周部を周回して貼着することで巻装されている。また、クリーニングローラ３２の両方の軸端には、嵌合した付勢支持部材３２５の係合凸部３２５ａと係合する切り欠きとして、係合凹部３２０ａが設けられている。
【００３６】
図１２及び図１３は、本発明に係るクリーニングユニット３の側断面を概略的に示す概略側断面図である。図１２は、クリーニングローラ３２を取り付けた状態のクリーニングユニット３であり、図１２（ｂ）の概略外観図に示すＡ−Ａ方向の断面を図１２（ａ）として示している。図１３は、クリーニングローラ３２を取り外した状態のクリーニングユニット３であり、図１３（ｂ）の概略外観図に示すＢ−Ｂ方向の断面を図１３（ａ）として示している。図１２及び図１３に示すように、付勢支持部材３２５は、下側（クリーニングローラ３２に嵌合する側の反対側）に、環状の凹部が刻設されており、凹部には圧縮コイルバネを用いた付勢部材３２５ｂが嵌合しており、付勢支持部材３２５をクリーニングローラ３２の方向へ付勢している。付勢部材３２５ｂが付勢支持部材３２５を付勢することにより、付勢支持部材３２５はクリーニングローラ３２を軸方向に沿って嵌合支持部材３２４の方向へ付勢した状態で保持することができる。
【００３７】
クリーニングローラ３２を保持する保持機構は、付勢支持部材３２５の係合凸部３２５ａがクリーニングローラ３２の係合凹部３２０ａに係合することにより、嵌合して保持しているクリーニングローラ３２が回転時にずれることを防止する。また、係合凸部３２５ａが設けられているのは、付勢支持部材３２５側だけであるので、クリーニングローラ３２の取り付け時に片方だけを位置決めすれば良く、また取り外し時に片方は容易に外れるため作業性を向上させることが可能である。更に、クリーニングローラ３２は、両方の軸端に係合凹部３２０ａが設けられているため、向きを意識することなく取り付けることができるので、作業性を向上させることが可能である。
【００３８】
以上詳述した形態で実施した場合の本発明に係るクリーニングユニット３は、クリーニングローラ３２の取り付け作業及び取り外し作業が容易であり、またクリーニングローラ３２のみの交換、更には巻装体３２１のみの交換ができるので、交換費用の増大を抑制することが可能である。
【００３９】
本発明は、以上説明した実施形態に限定されるものではなく、他のいろいろな形態で実施することが可能である。そのため、上述した実施形態はあらゆる点で単なる例示にすぎず、限定的に解釈してはならない。本発明の範囲は請求の範囲によって示すものであって、明細書本文には、なんら拘束されない。更に、請求の範囲の均等範囲に属する変形や変更は、全て本発明の範囲内のものである。
【００４０】
例えば、前記実施形態では、螺旋体３１１を有する移送ローラ３１を用いて、遊技球を移送する形態を示したが、本発明はこれに限らず、遊技球がクリーニングローラ３２に当接しながら移送されるのであればよく、例えば直線上のレールに沿って、遊技球を移送させる等、様々な形態に展開することが可能である。
【００４１】
また、前記実施形態では、付勢支持部材３２５側にのみ放射状の係合凸部３２５ａを設ける形態を示したが、本発明はこれに限らず、係合凸部を嵌合支持部材３２４側に設けても、更には双方に設けても良く、また回転中のズレを防止することができるのであれば、どのような形状で係合させても良い等、様々な形態に展開することが可能である。
【００４２】
また、本願に開示したクリーニングユニットは、遊技機に係る遊技球を回収する回収装置、遊技球を計数する計数装置、遊技球を搬送する搬送路等の他の装置へも転用することが可能である。
【符号の説明】
【００４３】
１        遊技機
１５      収容部
２        回収部
３        クリーニングユニット
３０      筐体
３０１    球取込口
３０２    球排出口
３１      移送ローラ
３１０    軸体
３１１    螺旋体
３１２    第１移送ギア
３１３    第２移送ギア
３２      クリーニングローラ
３２０    ローラ本体
３２０ａ  係合凹部
３２１    巻装体
３２２    クリーニングギア
３２３    操作部
３２４    嵌合支持部材（保持機構）
３２５    付勢支持部材（保持機構）
３２５ａ  係合凸部
３２５ｂ  付勢部材
３３      駆動部
３３１    モータギア
４        発射部
【図１Ａ】
2017023169.tif 000003
【図１Ｂ】
2017023169.tif 000004
【図２】
2017023169.tif 000005
【図３Ａ】
2017023169.tif 000006
【図３Ｂ】
2017023169.tif 000007
【図３Ｃ】
2017023169.tif 000008
【図４Ａ】
2017023169.tif 000009
【図４Ｂ】
2017023169.tif 000010
【図５Ａ】
2017023169.tif 000011
【図５Ｂ】
2017023169.tif 000012
【図６】
2017023169.tif 000013
【図７】
2017023169.tif 000014
【図８Ａ】
2017023169.tif 000015
【図８Ｂ】
2017023169.tif 000016
【図９】
2017023169.tif 000017
【図１０Ａ】
2017023169.tif 000018
【図１０Ｂ】
2017023169.tif 000019
【図１１Ａ】
2017023169.tif 000020
【図１１Ｂ】
2017023169.tif 000021
【図１２】
2017023169.tif 000022
【図１３】
2017023169.tif 000023